(57)【特許請求の範囲】
【請求項１】
浴槽の浴水を循環ポンプで汲み上げて循環路を通して循環させて清浄処理、保温処理して浴槽へ戻す浴水循環装置において、前記循環路の通常流路に接続されて流れ方向を変更させる電磁弁により流路変更される殺菌流路を設け、該殺菌流路には取り込んだ浴水に塩分を一定量添加供給する塩分添加部と、殺菌流路に設けられた電解殺菌装置に浴水を通水させるための殺菌流路部の流量を調節可能にするための流量制御手段とを備えた、殺菌のための塩素を発生させる電解殺菌装置とを備え、該電解殺菌装置で取り込んだ浴水に塩分添加部により塩分を添加した浴水を電気分解して殺菌のための塩素を所定量発生させるために前記電解殺菌装置の動作を通電制御する通電制御手段と、任意の時間に操作することで、殺菌を開始する電解殺菌開始指令信号を出力する始動指令手段と、該始動指令手段に応答して前記電解殺菌装置に通電させ、塩素を一定時間発生させるためのタイマー手段と、該タイマー手段の計測後殺菌を終了して、流れ方向を変更させる電磁弁により通常流路に変えて通常の浴水循環運転を継続するようにしたことを特徴とする電解殺菌装置を有する浴水循環装置。
【請求項２】
浴槽の浴水を循環ポンプで汲み上げて循環路を通して循環させて清浄処理、保温処理して浴槽へ戻す浴水循環装置において、前記循環路の通常流路に接続されて流れ方向を変更させる電磁弁により流路変更される殺菌流路を設け、該殺菌流路には取り込んだ浴水に塩分を一定量添加供給する塩分添加部と、殺菌流路に設けられた電解殺菌装置に浴水を通水させるための殺菌流路部の流量を調節可能にするための流量制御手段とを備えた、殺菌のための塩素を発生させる電解殺菌装置とを備え、該電解殺菌装置で取り込んだ浴水に塩分添加部により塩分を添加した浴水を電気分解して殺菌のための塩素を所定量発生させるために前記電解殺菌装置の動作を通電制御する通電制御手段と、所定の時間帯に電解殺菌を行うように設定された開始時刻に殺菌を開始する電解殺菌開始指令信号を出力すると共に、殺菌終了後、流れ方向を変更させる電磁弁により通常流路に変えて通常の浴水循環運転を継続する制御手段を備えたことを特徴とする電解殺菌装置を有する浴水循環装置。
【請求項３】
請求項２において、前記始動指令手段は、電解殺菌装置の殺菌を任意の時刻に開始するためのクロック手段であって、該クロック手段を任意の時刻に設定するための時刻設定手段と、設定された時刻を記憶するための設定時刻記憶手段とを更に備えたことを特徴とする電解殺菌装置を有する浴水循環装置。
【発明の詳細な説明】
【０００１】
【産業上の利用分野】
本発明は、浴水装置に係り、特に浴水の清浄化装置における浴水の殺菌装置に関するものである。
【０００２】
【従来の技術】
浴槽内の浴水を浄化、殺菌し循環ポンプで循環させ、再び清浄化された浴水を浴槽内へ送る装置が開発されている。
これら装置による浄化、殺菌は、活性炭、麦飯石等によるろ過槽で処理した後、紫外線ランプの内蔵された殺菌槽へ浴水を通過させて殺菌させる紫外線殺菌や高圧放電型のオゾン発生装置を用いてオゾンを発生させ、そのオゾンを浴水へ混入させて殺菌するオゾン殺菌を行っていた。
【０００３】
従来の浴水装置は、上記の様に単に浴水の汚れを取り除くだけではなく、殺菌や加熱保温も同時に行い、２４時間快適に入浴できる浴水装置を提供している。
【０００４】
【発明が解決しようとする課題】
しかしながら、オゾン殺菌装置を用いて殺菌を行う場合、オゾンは水に難溶性のために高濃度のオゾンを用いなければならず、浴水中に未反応で残ったオゾンが浴槽から発散することもあり、このため高価な排オゾン処理装置を取付けなければならない等の問題があった。
【０００５】
また、紫外線ランプを用いる殺菌装置では、浴水を殺菌浄化するための時間が長くかかり常に殺菌しなければならないだけでなく、紫外線ランプに水垢等が付着し、その性能を低下させるため、常にランプの清掃を行わなければならなかった。また、これらの装置では、人体から発生する汗や脂等の除去が行えないために、汗や脂等が浴水に持ち込まれると、これらが原因で浴水に異臭が発生し、極めて不快であった。
【０００６】
本発明は、前記したような従来技術の欠点を改良し、入浴者に快適な環境の入浴を行うための装置を提供することにある。
【０００７】
【課題を解決するための手段】
本発明は、浴槽の浴水を循環ポンプで汲み上げて循環路を通して循環させて清浄処理、保温処理して浴槽へ戻す浴水循環装置において、前記循環路の通常流路に接続されて流れ方向を変更させる電磁弁により流路変更される殺菌流路を設け、該殺菌流路には取り込んだ浴水に塩分を一定量添加供給する塩分添加部と、殺菌流路に設けられた電解殺菌装置に浴水を通水させるための殺菌流路部の流量を調節可能にするための流量制御手段とを備えた、殺菌のための塩素を発生させる電解殺菌装置とを備え、該電解殺菌装置で取り込んだ浴水に塩分添加部により塩分を添加した浴水を電気分解して殺菌のための塩素を所定量発生させるために前記電解殺菌装置の動作を通電制御する通電制御手段と、任意の時間に操作することで、殺菌を開始する電解殺菌開始指令信号を出力する始動指令手段と、該始動指令手段に応答して前記電解殺菌装置に通電させ、塩素を一定時間発生させるためのタイマー手段と、該タイマー手段の計測後殺菌を終了して、流れ方向を変更させる電磁弁により通常流路に変えて通常の浴水循環運転を継続するようにしたことを特徴とする電解殺菌装置を有する浴水循環装置とすることにより、課題を解決した。
さらに本発明は、浴槽の浴水を循環ポンプで汲み上げて循環路を通して循環させて清浄処理、保温処理して浴槽へ戻す浴水循環装置において、前記循環路の通常流路に接続されて流れ方向を変更させる電磁弁により流路変更される殺菌流路を設け、該殺菌流路には取り込んだ浴水に塩分を一定量添加供給する塩分添加部と、殺菌流路に設けられた電解殺菌装置に浴水を通水させるための殺菌流路部の流量を調節可能にするための流量制御手段とを備えた、殺菌のための塩素を発生させる電解殺菌装置とを備え、該電解殺菌装置で取り込んだ浴水に塩分添加部により塩分を添加した浴水を電気分解して殺菌のための塩素を所定量発生させるために前記電解殺菌装置の動作を通電制御する通電制御手段と、所定の時間帯に電解殺菌を行うように設定された開始時刻に殺菌を開始する電解殺菌開始指令信号を出力すると共に、殺菌終了後、流れ方向を変更させる電磁弁により通常流路に変えて通常の浴水循環運転を継続する制御手段を備えたことを特徴とする電解殺菌装置を有する浴水循環装置とすることにより、課題を解決した。
さらに本発明は、前記始動指令手段は、電解殺菌装置の殺菌を任意の時刻に開始するためのクロック手段であって、該クロック手段を任意の時刻に設定するための時刻設定手段と、設定された時刻を記憶するための設定時刻記憶手段とを更に備えたことを特徴とする電解殺菌装置を有する浴水循環装置とすることにより、課題を解決した。
【０００８】
【実施例】
本発明における請求項１の基本構成の説明を図１に基づいて説明する。
本発明の外観および内部機構は、図１に示す如くである。
【０００９】
浴槽１と浴槽内の浴水を吸い込むとともに髪等を除去するためのプレフィルター２と浴水を清浄化するための浄化フィルター部３と、浴水を循環させるための循環ポンプ４と、浴水を加熱する加熱ヒーター７と、浴水を殺菌する電解殺菌装置１２と、流量調節用電磁弁１０または流れ方向変更のための電磁弁２７と、前記電解殺菌装置へ通水するための殺菌流路３０と浄化殺菌された浴水を再び浴槽へ戻すための吐出口であるジェットノズル２３により構成されている。
【００１０】
浴水循環装置本体Ａには、装置前面に液晶等によりなる表示装置１４と種々の機能を選択、確定、変更等行うための操作キーやスイッチが設けられている。
この操作スイッチは、装置本体Ａの電源スイッチ１５、タイマー設定スイッチ１６、内蔵された時計装置２５の時刻のリセットスイッチ２６や電解殺菌開始指令キー１８等である。
【００１１】
これら操作スイッチを操作し、温度や時間等の設定を行う。また、液晶パネルの表示装置１４には、現在の時間、浴水の温度や異常発生時の警告等が表示される。
【００１２】
電解殺菌における電解殺菌装置１２の内部は、外面に２枚の陽極ケースを陽極板に挟んで接合して形成される陽極室の外側を、陰極板を保持した２枚の陰極ケースで接合した陰極室で覆い、２重の密室電極室構造の電解槽として形成される。この電解殺菌装置１２に通電を行うと、陽極板および陰極板に電流が流れ、浴水が電気分解され、塩素イオンが発生し、浴水の殺菌、脱臭が効率的に行われる
。
【００１３】
本発明の請求項１の実施例の本体装置Ａの基本的な説明を図４のフローチャート図に基づき説明する。
【００１４】
本体装置Ａは、Ｓ１でまず浴水循環装置本体Ａの電源スイッチ１５により電源を投入すると、運転が開始される。Ｓ２で、電源が投入されたことにより循環ポンプ制御部５より循環ポンプ４の駆動が指示され、これにより浴水装置の浴水が循環される。
【００１５】
Ｓ３では、ゴミや汚れ等により浄化フィルター３や浴水循環のための配管が目詰まりしていないかを確認するための流量センサー６が設置され、その流量を検出する。流量センサー６で検出された流量が適正であるかをＴ１で確認し、正常である場合は、ＹＥＳへ、流量が不足する場合は、ＮＯでＳ７へ行く。
【００１６】
Ｓ７では、異常が発生したことを確認して、Ｓ８の浴水循環装置に設置された液晶パネルで構成された表示装置１４に表示したり、警告ブザー等で流量に異常が発生したことを使用者に警告する。
【００１７】
適正な流量であった場合には、Ｓ４へ行き、加熱ヒーター７による加熱を行う。Ｓ５では、その浴水温度を配管に設けられた温度センサー９によって検知し、温度設定キーにより設定された温度より低い場合は、加熱制御用リレースイッチ８より信号を送り、加熱ヒーター７のスイッチを入れ加熱する。
浴水の温度が高い場合は、加熱ヒーター７のスイッチをＯＦＦし、温度調節を行う。
【００１８】
また、浴水の温度が設定範囲を越えた場合には、加熱ヒーター７の異常加熱等のためＳ７で異常が発生したことを確認し、流量の異常発生の場合と同様にＳ８で警告する。
Ｔ３で、浴水の電解殺菌を行う場合には、Ｓ６の電解殺菌ルーチンへ移行し、殺菌を行わない場合には、Ｔ４へ移行する。
【００１９】
電解殺菌ルーチンは、図５に示すフローで行われる。
Ｓ６で電解殺菌のルーチンに移行する。Ｓ９では、使用者が任意の時間に殺菌を行う場合に、電解殺菌開始指令スイッチ１８をＯＮ操作する。
【００２０】
Ｓ１０では、電解殺菌装置１２の始動スイッチの入力信号に応答し、流量を調節するための電磁弁１０が開放して、殺菌流路３０に通過し、Ｓ１１で電解殺菌装置１２に通水される。
【００２１】
または、流れ方向を変更させるための三方弁よりなる電磁弁２７により電解殺菌装置１２への通水が行われる。
流れ方向の制御は、殺菌流路と通常の循環のための通常流路のそれぞれに電時弁を設け制御することも可能である。
【００２２】
Ｓ１１の通水開始とともに、Ｓ１２では塩分添加部２１の電磁弁よりなる塩分添加調節弁２２が開放される。
Ｓ１３では、入力信号を受けた調節弁２２が開放されると食塩や食塩水を収納した塩分添加部２１より電解殺菌装置１２に塩分を一定量添加供給する。
【００２３】
次にＳ１４で、添加する食塩の量を調節するために前記調節弁２２を閉鎖する。電解開始指令スイッチ１８の入力操作により、Ｓ１５で、電解殺菌装置１２に通電制御用リレースイッチ１３より通電のための信号が送られ、通電が開始される。
【００２４】
通電が開始されると、電解殺菌装置１２の内部に設けられた電解槽の各電極板により浴水が電気分解され、塩素が発生し、その塩素が浴水と混合され浴槽へ供給され、殺菌が開始される。
【００２５】
電解殺菌の開始にあたってＳ１６では、電極板に通電する電流を電流センサー１９や漏電センサー等により検出し、Ｔ６で漏電事故を防止するために、所定の電流値より多く流れた場合には、Ｓ２１で異常発生を確認し、Ｓ２２で表示装置１４により警告を行う。
【００２６】
Ｔ６で電流値が適正範囲で正常の場合には、Ｓ１７へ行き、電解殺菌が開始される。Ｔ７で、電解殺菌開始指令スイッチ１８をＯＦＦすると、Ｓ１８で電解殺菌装置１２へ電気分解のための通電信号を停止する。
【００２７】
Ｓ１９は、その通電信号停止に応答して電解殺菌装置１２への通電と前記通水のための電磁弁１０が閉鎖し、通水を停止する。
Ｓ２０では、通水および通電停止により電解殺菌処理は終了する。
【００２８】
電解殺菌処理が終了すると、プログラムは図４のフローへ戻る。
浴水循環装置は、電解殺菌終了後も通常流路３１により循環、瀘過等の運転が行われ、Ｔ４で装置の運転停止が選択されるまで、連続的に運転される。
【００２９】
次に請求項２の実施例について基づいて説明する。本装置の基本的な動作は、図４に示すフローであり、内容については既に説明してあるので省略する。
本発明を図６の電解殺菌フローチャート図により、その動作を説明する。
Ｔ３で、浴水の電解殺菌を行う場合には、電解殺菌ルーチンへ移行し、殺菌を行わない場合には、そのままＴ４へ移行する。
【００３０】
Ｓ２３では、使用者が任意の時間に殺菌を行う場合に、電解殺菌始動スイッチ１８をＯＮ操作する。
Ｓ２４では、電解殺菌装置１２の始動スイッチの入力信号に応答し、流れ方向を変更させる電磁弁１０が開放され、Ｓ２５で前記電解殺菌装置１２へ通水が行われる。
【００３１】
Ｓ２５の通水開始とともに、Ｓ２６塩分添加部２１の電磁弁よりなる塩分添加調節弁２２が開放される。
入力信号を受けた調節弁２２が開放されると、Ｓ２７で食塩や食塩水を収納した塩分添加部２１より電解殺菌装置１２に塩分を一定量添加供給する。
【００３２】
次にＳ２８で、添加する食塩の量を調節するために前記調節弁２２を閉鎖する。Ｓ２９は、前記電解殺菌始動スイッチ１８の操作に伴い装置に内蔵されたタイマーが作動し、Ｓ３０で作動時間の計測が行われる。
タイマー装置２０が作動すると、Ｓ３１で、電解殺菌装置１２に通電制御用リレースイッチ１３より通電のための信号が送られ、通電が開始される。
【００３３】
通電が開始されると、電解殺菌装置１２の内部に設けられた電解槽の各電極板により浴水が電気分解され、塩素が発生し、その塩素が浴水と混合され浴槽へ供給され、殺菌が行われる。
【００３４】
Ｓ３２では、電極板に通電する電流を電流センサー１９や漏電センサーにより検出し、漏電事故を防止するために、所定の電流値より多く流れた場合には、Ｓ３８で異常発生を確認し、通電を停止する。Ｓ３９で異常発生に対する警告を行う。
【００３５】
Ｔ９で電流値が適正範囲で正常の場合に、Ｓ３３で電解殺菌が開始される。
次にＴ１０へ行き、タイマー２０により電解殺菌に必要な、あらかじめ設定された時間を計測し、その時間が経過したかを検出する。
【００３６】
設定時間になった場合には、Ｓ３４で電解殺菌のための通電を停止し、設定時間に満たない場合には、再びＳ３０へ行き時間の計測とともに電解殺菌は継続される。
Ｓ３４でタイマーの設定時間が経過すると、前記電解殺菌装置１２へ通電停止の信号が送られる。
【００３７】
Ｓ３５では、その停止信号に応答して電解殺菌装置１２への通電と前記通水のための電磁弁１０が閉鎖され、Ｓ３６で通水は停止する。
Ｓ３７で電解殺菌処理を終了する。
【００３８】
電解殺菌処理が終了すると、プログラムは図４のフローへ戻る。
浴水循環装置は、電解殺菌終了後も通常流路３１により循環、瀘過等の運転が行われ、Ｔ４で装置の運転停止が選択されるまで、連続的に運転される。
【００３９】
次に請求項３の実施例について基づいて説明する。本装置の基本的な動作は、図４に示すフローであり、内容については既に説明してあるので省略する。
本発明を図７のフローチャート図により、その動作を説明する。
【００４０】
Ｓ４０で浴水循環装置の電源１５が投入されると本体装置Ａは駆動する。電源投入と同時に装置にＳ４１で内蔵された時計装置２５に電源が投入され時計機能が開始される。Ｓ４２で時計２５は、投入時の状況に対応する時間等の情報を表示装置１４に表示する。
【００４１】
使用者は、その表示を確認し、Ｔ１２で時刻が誤っている場合には、Ｓ６３でクロックリセットキー２６により正しい時刻にリセットし、時計２５を正常な状態にする。
【００４２】
次にＴ１３で、使用者は、自分の所望する殺菌の開始時刻を設定する。開始時刻が既に設定されている場合には、そのまま次の工程に進み、新規に設定する場合には開始時刻設定キー１７による入力によりＳ４３で設定を行う。
時刻はＳ４４で浴水循環装置の表示装置１４に表示され、使用者はその表示を確認しながら設定する。
【００４３】
Ｔ１４では、開始時刻を確定するかを確認し、確定の場合には、ＹＥＳを、再度設定する場合にはＮＯを選択する。
確定されるとＳ４５で殺菌開始時刻は、電解殺菌時刻記憶メモリー部（ＲＡＭ）２４に記憶される。
【００４４】
Ｓ４６では、Ｓ８１でリセットされた時計の時刻を計測する。ここにいう計測とは、通常の目覚まし時計と同じように本装置に内蔵された時計が駆動するものである。Ｓ４７で、浴水循環装置の循環ポンプ、加熱ヒーター等の運転が開始される。
【００４５】
Ｔ１５では、電解殺菌装置１２の電解開始時刻になったかを確認する。これは、Ｓ４６における内蔵された時計による時間の計測がＳ４３で設定された設定時刻と同じになったことを意味し、同じになった場合には、電解殺菌開始指令信号を制御部へ送る。
【００４６】
Ｓ４８では、電解殺菌の開始指令にともない、電解殺菌装置１２に通水するため電磁弁１０が開放される。
電磁弁１０が開放されると、Ｓ４９で浴水は殺菌流路３０を通って電解殺菌装置１５に流れ込み、通水される。
【００４７】
Ｓ４９の通水開始とともに、Ｓ５０で塩分添加部２１の電磁弁よりなる塩分添加調節弁２２が開放される。
入力信号を受けた調節弁２２が開放されると、Ｓ５１で食塩や食塩水を収納した塩分添加部２１より電解殺菌装置１２に塩分を一定量添加供給する。
【００４８】
次にＳ５２で、添加する食塩の量を調節するために前記調節弁２２を閉鎖する。Ｓ５３は、電解殺菌開始時刻にともない殺菌開始指令信号が送られ、装置本体Ａに内蔵された殺菌時間測定用のタイマー２０が作動し、Ｓ５４で作動時間の計測が行われる。
【００４９】
Ｓ５５では、電解殺菌装置１２に通電が行われ、殺菌が開始する。Ｔ１６では電解殺菌装置１２に通電する電流値の測定を行い、適正な電流であるかを判断する。電流値が正常である場合には、そのままＴ１７へ行き、タイマー２０に設定されている時間が経過したか判断する。
【００５０】
Ｔ１７での計測値と設定されている所定の時間とが同じになった場合に、Ｓ５６へ行き、電解殺菌装置１２への通電が停止される。
Ｓ５７では、その停止信号に応答して電解殺菌装置１２への通電と前記通水のための電磁弁１０が閉鎖され、Ｓ３６で通水は停止する。
【００５１】
電解殺菌装置への通電および通水が停止した段階で、Ｓ５９で電解殺菌は終了する。
浴水循環装置の運転を継続する場合には、プログラムは、４６へ戻り、次の電解殺菌開始時刻が来るまで、浴水循環および加熱のための運転がなされる。
【００５２】
Ｔ４で浴水循環装置の運転を終了するため本体Ａの電源が切られると、本装置はすべて停止する。
ただし、内蔵されている時計装置については、内部に小型の蓄電池等を設け、正確な時刻を測定することは可能である。
【００５３】
【発明の効果】
以上説明したように請求項１では、本発明を用いた装置を使用することにより、脱臭効果が高く、従来では、浴水より異臭が発生した場合には、浴水を交換しなければならない等の作業が不要となり経済的も効果が発揮される。また、塩素による電解殺菌は、紫外線殺菌やオゾン殺菌に比べ、殺菌処理時間が短くてもその効果は高く、効率が良いため急速な殺菌が要求される場合や人が入浴しない時間に限定した殺菌が行える。そのため本発明は、これら電解殺菌による作業効果をより効率的に行うため、食塩や食塩水など塩類を電解殺菌装置に添加供給し、塩素発生効率を高めるとともに、電解殺菌時間に対応して通水し、有効に行えるものとした。また、電解殺菌の開始時間を任意に操作、設定することができるため、異臭が発生したり、浴水を誤って汚した場合等における急速殺菌が行えるとともに、殺菌時間に対応して食塩が添加されることにより効率のよい殺菌ができる。また、電解殺菌開始指令スイッチに、タイマーを組み合わせることにより操作性を向上させた。また、請求項２の発明では、予め定めた時間に殺菌できると共に、電解殺菌時間から次の電解殺菌時間まで通常の浴水循環運転を継続するようにして有効利用ができる。また、請求項３では、予定の電解殺菌時間を任意に設定できるようにして、利用者に合わせて、人が入浴しない時間に限定した殺菌が行えるようにして利用し易くしたものである。
【図面の簡単な説明】
【図１】本発明の一実施例を示す機構概要図
【図２】本発明の一実施例の示す制御ブロック図
【図３】本発明の一実施例を示す機能ブロック図
【図４】本発明の一実施例を示す浴水循環の基本フローチャート図
【図５】本発明の一実施例を示す電解殺菌のフローチャート図
【図６】本発明の請求項２の一実施例を示す電解殺菌フローチャート図
【図７】本発明の請求項３の一実施例を示すフローチャート図
【符号の説明】
Ａ：浴水循環装置、Ｂ：制御部（ＣＰＵ）、１：浴槽、２：プレフィルター、３：浄化フィルター、４：循環ポンプ、５：循環ポンプ制御手段、６：流量センサー、７：加熱ヒーター、８：加熱ヒーター制御手段、９：温度センサー、１０：電磁弁、１１：流量調節制御手段、１２：電解殺菌装置、１３：通電制御手段、１４：液晶表示装置、１５：浴水循環装置電源スイッチ、１６：タイマー設定キー、１７：開始時刻設定キー、１８：電解殺菌開始指令スイッチ、１９：電流センサー、２０：タイマー、２１：塩分添加部、２２：塩分添加調節弁、２３：ジェットノズル、２４：殺菌開始時刻記憶部、２５：クロック（内蔵時計）、２６：：クロックリセットキー、２７：三方弁、、２８：流れ方向制御手段、２９：オゾン殺菌装置、３０：殺菌流路、３１：通常流路
【図１】
0003672614.tif 000002
【図２】
0003672614.tif 000003
【図３】
0003672614.tif 000004
【図４】
0003672614.tif 000005
【図５】
0003672614.tif 000006
【図６】
0003672614.tif 000007
【図７】
0003672614.tif 000008